(57)【特許請求の範囲】
【請求項１】
配布先となりうるユーザ一覧の選択を受け付ける領域と、
第１の形態で出力文書を受け取る人を入力する入力領域と、第２の形態で出力文書を受け取る人を入力する入力領域と、
を同一画面に表示し、
前記ユーザ一覧からユーザを選択し、第１の形態で出力文書を受け取る人を入力する入力領域か、第２の形態で出力文書を受け取る人を入力する入力領域かのいずれかに前記選択したユーザを移動することで、
文書の配布先ユーザと文書の出力形態を対応させて記憶させる
ことを特徴とする画像処理装置。
【請求項２】
コンピュータを、
配布先となりうるユーザ一覧の選択を受け付ける領域と、
第１の形態で出力文書を受け取る人を入力する入力領域と、第２の形態で出力文書を受け取る人を入力する入力領域と、
を同一画面に表示させ、
前記ユーザ一覧からユーザを選択し、第１の形態で出力文書を受け取る人を入力する入力領域か、第２の形態で出力文書を受け取る人を入力する入力領域かのいずれかに前記選択したユーザを移動することで、
文書の配布先ユーザと文書の出力形態を対応させて記憶させる
ように機能させるための画像処理プログラム。
【発明の詳細な説明】
【技術分野】
【０００１】
本発明は、画像処理装置及び画像処理プログラムに関する。
【背景技術】
【０００２】
特許文献１には、予めユーザ毎のデフォルトのページフォーマットを保持しておき、ダイレクトプリント時にはユーザを特定し、設定されているデフォルト値を適用することによりダイレクトプリント時にもユーザが好みの出力を得ることができる画像形成装置を提供することを目的とし、外部装置から入力される電子文書データをレイアウト出力する画像形成装置において、ユーザ毎のデフォルトのページフォーマット情報を記憶する記憶手段と、印刷指示を実行したユーザを特定するユーザ識別手段と、ユーザ毎に記憶されたページフォーマット情報を文書に適用する適用手段と、を具備し、ユーザ毎に設定されたページフォーマット情報を文書データに強制的に適用してユーザ毎に異なるページ出力を行うことが開示されている。
【０００３】
特許文献２には、実際の会議出席者に即して資料を印刷、配布することができる新たな枠組みを提供することを課題とし、会議室に設置された印刷装置、制御装置、管理サーバを備え、制御装置は、ユーザからユーザＩＤを取得する手段、管理サーバにユーザＩＤを含む資料要求を送信し、資料情報を受信する手段、資料情報に基づき、印刷装置で資料が印刷されるように制御する手段を備え、管理サーバは、会議毎に、出席予定者情報、資料情報を記憶する記憶手段、制御装置から、ユーザＩＤを含む資料要求を受信する手段、資料要求に基づき前記記憶手段を参照して対応する出席予定者の情報を取得し、出席予定者情報及び資料要求に含まれるユーザＩＤに基づき、ユーザが出席予定者であるか否かを判断する手段、出席予定者である場合、前記記憶手段を参照して対応する資料情報を取得し、制御装置に送信する手段を備えることが開示されている。
【０００４】
特許文献３には、配布資料を印刷する際に、配布先のユーザの望む体裁の印刷物をより手間を掛けずに容易に取得することを可能ならしめる、印刷制御装置、印刷制御方法、及び印刷制御プログラムを提供することを課題とし、印刷ジョブの発行元であるユーザ毎の印刷設定情報が履歴情報として記憶されており、配布資料としての印刷が指定されている印刷ジョブについての配布先のユーザに対する印刷設定情報が、当該履歴情報に基づいて設定されることが開示されている。
【先行技術文献】
【特許文献】
【０００５】
【特許文献１】特開２００４−０５８５００号公報
【特許文献２】特開２００８−０４０７１６号公報
【特許文献３】特開２０１１−０４８７５３号公報
【発明の概要】
【発明が解決しようとする課題】
【０００６】
本発明は、配布先となり得るユーザに予め定められた形態による文書を対応させて記憶させるようにした画像処理装置及び画像処理プログラムを提供することを目的としている。
【課題を解決するための手段】
【０００７】
かかる目的を達成するための本発明の要旨とするところは、次の各項の発明に存する。
請求項１の発明は、配布先となりうるユーザ一覧の選択を受け付ける領域と、第１の形態で出力文書を受け取る人を入力する入力領域と、第２の形態で出力文書を受け取る人を入力する入力領域と、を同一画面に表示し、前記ユーザ一覧からユーザを選択し、第１の形態で出力文書を受け取る人を入力する入力領域か、第２の形態で出力文書を受け取る人を入力する入力領域かのいずれかに前記選択したユーザを移動することで、文書の配布先ユーザと文書の出力形態を対応させて記憶させることを特徴とする画像処理装置である。
【０００８】
請求項２の発明は、コンピュータを、配布先となりうるユーザ一覧の選択を受け付ける領域と、第１の形態で出力文書を受け取る人を入力する入力領域と、第２の形態で出力文書を受け取る人を入力する入力領域と、を同一画面に表示させ、前記ユーザ一覧からユーザを選択し、第１の形態で出力文書を受け取る人を入力する入力領域か、第２の形態で出力文書を受け取る人を入力する入力領域かのいずれかに前記選択したユーザを移動することで、文書の配布先ユーザと文書の出力形態を対応させて記憶させるように機能させるための画像処理プログラムである。
【発明の効果】
【０００９】
請求項１の画像処理装置、請求項２の画像処理プログラムによれば、配布先となり得るユーザに予め定められた形態による文書を対応させて記憶させることができる。
【図面の簡単な説明】
【００１０】
【図１】本実施の形態の構成例についての概念的なモジュール構成図である。
【図２】ユーザ情報テーブルのデータ構造の例を示す説明図である。
【図３】出力パラメータテーブルのデータ構造の例を示す説明図である。
【図４】本実施の形態による処理例を示すフローチャートである。
【図５】本実施の形態の構成例についての概念的なモジュール構成図である。
【図６】出力文書・ユーザ対応テーブルのデータ構造の例を示す説明図である。
【図７】本実施の形態の全体構成例についての概念的なモジュール構成図である。
【図８】本実施の形態による処理例を示すフローチャートである。
【図９】配布対象ユーザ選択モジュールによる処理例を示す説明図である。
【図１０】配布対象ユーザ選択モジュールによる処理例を示す説明図である。
【図１１】配布対象ユーザ選択モジュールによる処理例を示す説明図である。
【図１２】配布対象ユーザ選択モジュールによる処理例を示す説明図である。
【図１３】配布対象ユーザ選択モジュールによる処理例を示す説明図である。
【図１４】出力結果レポートの例を示す説明図である。
【発明を実施するための形態】
【００１１】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１２】
本実施の形態である画像処理装置は、文書を出力するものである。例えば、会合（複数人が集まって、文書を参照しながら行われるものであり、具体的には、会議、打ち合わせ、講義等がある）に用いられる文書を出席者に配布するために、その文書を出力する場合に用いられる。特に、その出席者には、配布される文書の形態について要求がある場合に用いられる。その要求としては、例えば、１枚に４ページ分の文書画像を印刷してほしい、面付けの方向（１枚内に４ページを印刷する場合、ページ順として、左上、左下、右上、右下、又は、左上、右上、左下、右下等がある）の要求、印刷文書ではなく電子文書で欲しい、カラー印刷ではなく白黒印刷してほしい等がある。
図１の例に示すモジュール構成は、配布先毎に文書の形態を設定する装置にかかり、出力パラメータ登録モジュール１１０、出力パラメータ記憶モジュール１５０を有しており、出力パラメータ登録モジュール１１０は、ユーザ選択モジュール１２０、ユーザ情報記憶モジュール１３０、出力パラメータ設定モジュール１４０を有している。
【００１３】
ユーザ選択モジュール１２０は、ユーザ情報記憶モジュール１３０、出力パラメータ設定モジュール１４０と接続されている。ユーザ選択モジュール１２０は、配布先となり得る者を選択する。ここで、配布先となり得る者とは、既に配布先となった者である必要は必ずしもなく、配布先となる可能性があれば足りる。また、選択は、マウス、キーボード、タッチパネル等に対する操作者の操作によって選択するようにしてもよいし、予め定められた者を選択するようにしてもよい。また、ここで者（以下、ユーザともいう）とは、個人であってもよいし、複数人からなる集合（例えば、グループ、部、課等があり、以下、グループともいう）であってもよい。選択する情報としては、その者を本実施の形態内において特定することができる情報であればよく、例えば、ユーザＩＤ（ＩＤｅｎｔｉｆｉｃａｔｉｏｎ）、ユーザアドレス等が該当する。
【００１４】
ユーザ情報記憶モジュール１３０は、ユーザ選択モジュール１２０と接続されている。ユーザ情報記憶モジュール１３０は、ユーザのリストを記憶している。例えば、社員名簿等が該当する。ユーザ情報記憶モジュール１３０には、例えばユーザ情報テーブル２００が記憶されている。図２は、ユーザ情報テーブル２００のデータ構造の例を示す説明図である。ユーザ情報テーブル２００は、ユーザＩＤ欄２１０、ユーザ名欄２２０、グループＩＤ欄２３０、ユーザアイコン欄２４０等を有している。ユーザＩＤ欄２１０は、ユーザＩＤを記憶している。ユーザ名欄２２０は、そのユーザの名称を記憶している。グループＩＤ欄２３０は、そのユーザが属しているグループのグループＩＤを記憶している。ユーザアイコン欄２４０は、そのユーザを示すアイコンを記憶している。
【００１５】
出力パラメータ設定モジュール１４０は、ユーザ選択モジュール１２０、出力パラメータ記憶モジュール１５０と接続されている。出力パラメータ設定モジュール１４０は、ユーザ選択モジュール１２０によって選択された者が受け取る文書の形態を受け付けて、その文書の形態をユーザ選択モジュール１２０によって選択された者と対応付けて出力パラメータ記憶モジュール１５０に記憶させるように制御する。文書の形態として、文書媒体の種類（電子文書、紙文書）、出力文書の形態、印刷後の処理（ステープラー処理、穴あけ処理等）等がある。例えば、電子文書の出力又は文書の印刷であるか、印刷する紙のサイズ、印刷する紙の色、両面印刷又は片面印刷であるか、１枚内に印刷するページ数（例えば、１枚に４ページを印刷する場合は４ＵＰ等といわれる）、面付け（１枚内に印刷するページ数が複数ページである場合における、その１枚におけるページの印刷順序）、印刷した文書に対してステープラー処理を行うか否か、そのステープルの位置、個数、印刷した文書に対して穴あけ処理を行うか否か、その穴の位置、個数、等を示す情報によって構成されている。
文書の形態は、予め定められていてもよいし、ユーザが各人で自分が受け取る文書の好みを設定するようにしてもよい。
【００１６】
出力パラメータ記憶モジュール１５０は、出力パラメータ設定モジュール１４０と接続されている。出力パラメータ記憶モジュール１５０は、配布先となり得る者とその者が受け取る文書の形態を対応させて記憶している。出力パラメータ記憶モジュール１５０には、例えば出力パラメータテーブル３００が記憶されている。図３は、出力パラメータテーブル３００のデータ構造の例を示す説明図である。出力パラメータテーブル３００は、ユーザＩＤ欄３１０、出力パラメータ欄３２０を有している。ユーザＩＤ欄３１０は、ユーザＩＤを記憶している。出力パラメータ欄３２０は、そのユーザに対応する文書の形態（以下、出力パラメータともいう）を記憶している。
【００１７】
図４は、本実施の形態による処理例を示すフローチャートである。
ステップＳ４０２では、ユーザ選択モジュール１２０が、ユーザ情報記憶モジュール１３０からユーザを抽出する。
ステップＳ４０４では、ユーザ選択モジュール１２０が、ユーザの選択を受け付ける。
ステップＳ４０６では、出力パラメータ設定モジュール１４０が、ユーザ毎の出力パラメータの設定を受け付ける。
ステップＳ４０８では、出力パラメータ設定モジュール１４０が、出力パラメータ記憶モジュール１５０にユーザ毎の出力パラメータを記憶させる。
【００１８】
図５の例に示すモジュール構成は、配布先毎の文書の形態にそって文書を出力する装置にかかり、出力パラメータ制御モジュール５１０、出力パラメータ記憶モジュール１５０を有しており、出力パラメータ制御モジュール５１０は、出力パラメータ制御モジュール５１０、文書選択モジュール５２０、文書記憶モジュール５３０、配布対象ユーザ選択モジュール５４０、出力制御モジュール５５０を有している。なお、前述の実施の形態と同種の部位には同一符号を付し重複した説明を省略する。
【００１９】
文書選択モジュール５２０は、文書記憶モジュール５３０、配布対象ユーザ選択モジュール５４０と接続されている。文書選択モジュール５２０は、配布すべき文書を受け付ける。例えば、文書記憶モジュール５３０に記憶されている文書の中から配布すべき文書を、キーボード、マウス、タッチパネル等に対する操作者の操作に基づいて選択する。ここで配布とは、電子文書を電子メールで送信すること、配布先がアクセス可能な記憶装置（ドロワー等）に電子文書を格納すること、印刷した文書を配布先である会合の出席者に渡すこと等が含まれる。
文書記憶モジュール５３０は、文書選択モジュール５２０と接続されている。文書記憶モジュール５３０は、例えば、電子文書を記憶している。例えば、電子文書が格納されているフォルダ、データベース等が該当する。
【００２０】
配布対象ユーザ選択モジュール５４０は、文書選択モジュール５２０、出力パラメータ記憶モジュール１５０、出力制御モジュール５５０と接続されている。配布対象ユーザ選択モジュール５４０は、文書選択モジュール５２０によって受け付けられた文書の配布先を選択する。そして、出力パラメータ記憶モジュール１５０から、選択した配布先が受け取る文書の形態を抽出する。配布先の選択は、文書毎に予め定められていてもよいし、ユーザの一覧から選択する等でもよい。文書とユーザの対応の結果、配布対象ユーザ選択モジュール５４０が、例えば、出力文書・ユーザ対応テーブル６００を生成し、出力制御モジュール５５０に渡す。図６は、出力文書・ユーザ対応テーブル６００のデータ構造の例を示す説明図である。出力文書・ユーザ対応テーブル６００は、出力文書ＩＤ欄６１０、ユーザＩＤ欄６２０を有している。出力文書ＩＤ欄６１０は、配布対象となっている文書を本実施の形態において一意に識別する情報（出力文書ＩＤ）を記憶している。ユーザＩＤ欄６２０は、ユーザＩＤを記憶している。
【００２１】
配布対象ユーザ選択モジュール５４０によって選択し得る配布先として、個人又は複数人からなるグループがある。つまり、グループが配布先となった場合は、そのグループに属している複数人のユーザが配布先となる。
配布対象ユーザ選択モジュール５４０によって選択された配布先がグループである場合であって、そのグループの一部が配布先として取り消された場合は、そのグループに含まれている他の配布先も取り消す。グループの一部とは、そのグループの一員であるユーザをいう。ただし、一人のユーザである必要はなく、複数人のユーザであってもよい。配布先として取り消すとは、配布先のユーザではなくなることをいう。つまり、文書選択モジュール５２０で選択された文書は配布されない。そのグループに含まれている他の配布先も取り消すとは、配布が取り消されたユーザが含まれているグループの他のグループ員であるユーザも配布先として取り消すことである。つまり、グループが配布先として選択された後に、グループ員の一人以上が配布先として取り消された場合は、そのグループ全員が配布先として取り消されることになる。具体的な例については、図１２を用いて後述する。
出力パラメータ記憶モジュール１５０は、配布対象ユーザ選択モジュール５４０と接続されている。
【００２２】
出力制御モジュール５５０は、出力パラメータ記憶モジュール１５０、配布対象ユーザ選択モジュール５４０と接続されている。出力制御モジュール５５０は、配布対象ユーザ選択モジュール５４０によって抽出された文書の形態にしたがって、文書選択モジュール５２０によって受け付けられた文書の画像を出力する。「文書の形態にしたがう」とは、前述した出力パラメータテーブル３００の出力パラメータ欄３２０内の文書の形態（パラメータ）に合うように、出力文書・ユーザ対応テーブル６００の出力文書ＩＤ欄６１０によって示されている文書に対して処理を行うことである。そして、その処理結果を出力する。そのために、画像処理、ステープラー処理、穴あけ処理等を伴う場合もある。また、画像を出力するとは、例えば、プリンタ等の印刷装置で印刷すること、その電子文書を電子メール等によって送信すること等が含まれる。
【００２３】
出力制御モジュール５５０による出力として、文書選択モジュール５２０によって受け付けられた文書の電子文書の出力又は印刷がある。
出力制御モジュール５５０による出力が印刷であり、文書の配布先が複数ある場合は、配布先の名称（例えば、ユーザ名称等）をその文書内又はその文書とは別のページであって、その文書を区別するためのページに印刷する。文書の配布先が複数ある場合は、文書の形態が異なっている場合が多い。そして、配布先であるユーザに対して、対応している文書を配布する必要がある。従来のように、文書の形態が配布先毎に異ならない場合は、だれにどの文書を配布もよいが、本実施の形態では、配布先を明確にする必要がある。そのために、配布先であるユーザの名称をその文書内に印刷するようにしてもよい。又は、その文書とは別のページであって、その文書を区別するためのページ（いわゆる区切りページ）に、配布先であるユーザの名称を印刷するようにしてもよい。区切りページは、その文書の先頭ページの前に印刷してもよいし、最後尾ページの後に印刷してもよい。なお、対象としている文書について全ての配布先の文書の形態が同じである場合は、配布先の名称を印刷しないようにしてもよい。
【００２４】
出力制御モジュール５５０は、配布対象ユーザ選択モジュール５４０によって抽出された形態内で同じ形態がある場合は、その同じ形態の出力を連続して行うようにしてもよい。配布先毎に文書の形態が異なる場合は、文書の形態毎に画像処理等を行う必要がある。しかし、同じ形態がある場合は、以前の画像処理等の結果の画像を用いることができるように、同じ形態である配布先を収集し、それらに配布する文書が連続して出力するように順番を変更する。
【００２５】
図７は、本実施の形態の全体構成例についての概念的なモジュール構成図である。前述の図１、図５の例に示した出力パラメータ登録モジュール１１０、出力パラメータ記憶モジュール１５０、出力パラメータ制御モジュール５１０を含むものである。
ＣＰＵ７０５は、本実施の形態内の主たる制御を行う。なお、出力パラメータ登録モジュール１１０、出力パラメータ記憶モジュール１５０等の各モジュールの実行シーケンスを記述したコンピュータ・プログラムにしたがった処理を実行する制御部でもある。
ＲＯＭ（Ｒｅａｄ  Ｏｎｌｙ  Ｍｅｍｏｒｙ）７１０には、プログラムや固定データが格納されている。フラッシュ・メモリによる書換可能な構成であってもよい。
ＲＡＭ７１５は、プログラム動作のためのシステムメモリ、画像処理のためのページメモリなどである。
ＮＶＲＡＭ７２０は、不揮発性のデータ、画質調整、各種設定パラメータ、各種履歴等の格納を行う。
ＨＤＤ（Ｈａｒｄ  Ｄｉｓｋ  Ｄｒｉｖｅ）７２５は、ハードディスクを内蔵し、そのハードディスクを駆動し、画像データ（印刷データも含む）、各種履歴等の格納を行う。
画像処理モジュール７３０は、画像データ（印刷データも含む）の伸張圧縮処理、各種画像処理を行う。前述した文書の形態に変換するための画像処理を行う。
【００２６】
通信ＩＦ７５５は、各種の外部装置、通信回線７６０へのインタフェースである。
通信回線７６０は、ネットワーク接続、１０／１００Ｂａｓｅ−Ｔ等であり、各種無線ＬＡＮを含むようにしてもよい。
操作装置ＩＦ７３５は、ＵＩ（操作装置）とのインタフェースである。なお、ＣＰＵ７０５が直接操作装置モジュール７４０を制御する場合は不要である。
操作装置モジュール７４０は、操作装置、パネル等に対する制御、キー制御などを行う。
操作モジュール７５０は、スタート、ストップ、テンキーなどのハードキー、タッチパネル等である。
表示モジュール７４５は、ＬＣＤ（Ｌｉｑｕｉｄ  Ｃｒｙｓｔａｌ  Ｄｉｓｐｌａｙ、液晶ディスプレイ）等である。なお、タッチパネルの場合は操作モジュール７５０を含む。
【００２７】
出力パラメータ制御モジュール５１０は、前述したように出力する場合に出力パラメータ記憶モジュール１５０から各種出力パラメータを読み出し、出力制御を行う。
出力パラメータ記憶モジュール１５０は、前述したようにユーザに対応づけて出力パラメータのデータを保持する。
出力パラメータ登録モジュール１１０は、前述したように外部から入力された出力パラメータのデータを出力パラメータ記憶モジュール１５０に登録する。
装置ＩＦ７６５は、複合機を構成する各種機器へのインタフェースである。
読取装置モジュール７７０は、画像読み取りを行うスキャナ部、プラテン、自動原稿読取装置（両面も可）である。
印刷装置モジュール７７５は、画像を印刷するプリンタ部である。
バス７９５は、ＣＰＵ７０５、ＲＡＭ７１５等を接続するためのＰＣＩ（Ｐｅｒｉｐｈｅｒａｌ  Ｃｏｍｐｏｎｅｎｔ  Ｉｎｔｅｒｃｏｎｎｅｃｔ）などのバスである。
【００２８】
なお、図７に示す画像処理装置のハードウェア構成は、１つの構成例を示すものであり、本実施の形態は、図７に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図７に示すシステムが複数互いに通信回線によって接続されていて互いに協調動作するようにしてもよい。また、複写機、ファックス、スキャナ、プリンタ、複合機（スキャナ、プリンタ、複写機、ファックス等のいずれか２つ以上の機能を有している画像処理装置）等としての形態であってもよい。
【００２９】
図８は、本実施の形態による処理例を示すフローチャートである。
ステップＳ８０２では、出力パラメータ登録モジュール１１０が、ユーザ毎の出力パラメータを出力パラメータ記憶モジュール１５０に登録しておく。
ステップＳ８０４では、文書選択モジュール５２０が、出力する文書一覧画面を表示する。
ステップＳ８０６では、文書選択モジュール５２０が、出力する文書を選択する。
ステップＳ８０８では、配布対象ユーザ選択モジュール５４０が、出力パラメータ記憶モジュール１５０からユーザ情報を呼び出し、配布すべきユーザを表示する。
ステップＳ８１０では、配布対象ユーザ選択モジュール５４０が、配布するユーザを選択する。
【００３０】
ステップＳ８１２では、出力制御モジュール５５０が、出力開始を指示する。
ステップＳ８１４では、出力制御モジュール５５０が、出力パラメータ記憶モジュール１５０から配布するユーザの一覧を取得する。
ステップＳ８１６では、出力制御モジュール５５０が、出力パラメータ記憶モジュール１５０からユーザに対応する出力パラメータを取得する。
ステップＳ８１８では、出力制御モジュール５５０が、印刷装置モジュール７７５に印刷を指示する。また、出力パラメータが「電子文書を配布」の場合は、電子文書を作成し、配布対象のユーザに例えば電子メールで送信する。
ステップＳ８２０では、出力制御モジュール５５０が、指定されたユーザの印刷が終了したか否かを判断し、終了した場合は処理を終了し（ステップＳ８９９）、それ以外の場合（他に配布先のユーザが残っている場合）はステップＳ８１６へ戻る。
【００３１】
図９は、配布対象ユーザ選択モジュール５４０による処理例を示す説明図である。
表示モジュール７４５が操作画面９００を表示する。操作画面９００内には、ユーザ一覧領域９１０、選択ユーザ領域９５０を表示する。図９は、ユーザ一覧領域９１０内からユーザを選択し、選択ユーザ領域９５０へ移動している例を示している。つまり、ユーザ一覧領域９１０内で操作者の操作によって、カーソルアイコン９２５ａがユーザアイコン９２０ａを選択し、カーソルアイコン９２５ｂがユーザアイコン９２０ｂを選択ユーザ領域９５０内へ移動（ドラッグ）し、カーソルアイコン９２５ｃが選択ユーザ領域９５０内のユーザアイコン９２０ｃの位置へ移動したことの例を示している。
【００３２】
図１０は、配布対象ユーザ選択モジュール５４０による処理例を示す説明図である。
表示モジュール７４５が操作画面１０００を表示する。操作画面１０００内には、ユーザ一覧領域１０１０、選択ユーザ領域１０５０、選択ユーザ領域１０６０を表示する。図９の例に示すように、ドラッグ操作でユーザを移動するようにしてもよいが、メニューを用いて移動するようにしてもよい。
図１０（ａ）は、ユーザ一覧領域１０１０内で操作者の操作によって、カーソルアイコン１０２５ａがユーザアイコン１０２０ａを選択したことの例を示している。
図１０（ｂ）は、図１０（ａ）の状態で、操作者が長押しをした場合の例を示しており、メニュー群１０３０を表示する。そして、メニュー群１０３０内の「電子文書で配布」が選択された例を示している。
図１０（ｃ）は、図１０（ｂ）の後の状態で、ユーザ一覧領域１０１０内のユーザアイコン１０２０ａが選択ユーザ領域１０６０内に移動（ユーザアイコン１０２０ｄ）した例を示している。なお、ユーザアイコン１０２０ａのアイコンは移動したことを示す形態（例えば、図に示すユーザアイコン１０２０ｃのようにアイコンを暗くする等）に変更する。
【００３３】
図１１は、配布対象ユーザ選択モジュール５４０による処理例を示す説明図である。
表示モジュール７４５が操作画面１１００を表示する。操作画面１１００内には、グループ一覧領域１１１０、選択ユーザ領域１１５０を表示する。図１１は、グループ一覧領域１１１０内からグループであるユーザを選択し、選択ユーザ領域１１５０へ移動している例を示している。つまり、選択されたユーザがグループである場合は、選択ユーザ領域１１５０内では、一人ひとりのユーザ（ユーザアイコン１１６０、ユーザアイコン１１６２）に分解されて表示する。個人毎に文書の形態が異なることがあるためである。
図１１（ａ）は、グループ一覧領域１１１０内で操作者の操作によって、カーソルアイコン１１２５ａがグループアイコン１１２０ａを選択したことの例を示している。そして、グループアイコン１１２０ａを選択ユーザ領域１１５０へ移動する。
図１１（ｂ）は、図１１（ａ）の後の状態で、選択ユーザ領域１１５０内には、グループアイコン１１２０ａが移動してきたことによって、そのグループ員であるユーザアイコン１１６０、ユーザアイコン１１６２を表示する例を示している。
【００３４】
図１２は、配布対象ユーザ選択モジュール５４０による処理例を示す説明図である。
表示モジュール７４５が操作画面１２００を表示する。操作画面１２００内には、グループ一覧領域１２１０、選択ユーザ領域１２５０を表示する。図１２は、グループを選択して選択ユーザ領域１２５０に移動した後に、グループ員を選択して配布先として取り消す場合にあって、そのグループ員だけを戻す場合とそのグループに属しているグループ員全員を戻す場合の例を示している。
図１２（ａ）、（ｂ）の例は、図１１（ａ）、（ｂ）の例と同じである。
図１２（ｃ）は、選択ユーザ領域１２５０内で操作者の操作によって、カーソルアイコン１２７５がユーザアイコン１２６２を選択し、グループ一覧領域１２１０へ移動しようとしていること（配布先として取り消すこと）を表している例である。この後、ユーザアイコン１２６２に対して長押しをしたか否かによって、処理が異なる。長押しをしなかった場合は、図１２（ｄ）の例へ進み、長押しした場合は、図１２（ｅ）の例へ進む。なお、グループ員全員を戻すか否かを指示する操作者の操作は長押しするか否かだけでなく、他の操作であってもよい。例えば、メニューを表示し、そのメニューからグループ員全員であるか否かを選択するようにしてもよい。
【００３５】
図１２（ｄ）は、ユーザアイコン１２６２だけがグループ一覧領域１２１０へ戻った状態の例を示している。ユーザアイコン１２６２と同じグループ（グループアイコン１２２０ｄ）の一員であるユーザアイコン１２６０は、選択ユーザ領域１２５０内にそのままある。つまり、ユーザアイコン１２６２だけが配布先として取り消された場合を示している。
なお、グループ一覧領域１２１０内のグループアイコン１２２０ｄは、図１２（ａ）の例に示すグループアイコン１２２０ａと同じ形態であるが、グループ内の一部は選択ユーザ領域１２５０へ移っていることを示すアイコンの形態（例えば、グループアイコン１２２０ｄの一部が黒くなっている等）であってもよい。
【００３６】
図１２（ｅ）は、ユーザアイコン１２６２と同じグループ（グループアイコン１２２０ｅ）の一員であるユーザアイコン１２６０もグループ一覧領域１２１０へ戻った状態の例を示している。つまり、グループ員全員（ユーザアイコン１２６０、ユーザアイコン１２６２）が配布先として取り消された場合を示している。
なお、選択ユーザ領域１２５０に複数のグループのグループ員があった場合は、グループ一覧領域１２１０へ移動したユーザと同じグループに属しているグループ員だけがグループ一覧領域１２１０へ戻ることになる。つまり、選択ユーザ領域１２５０内にある他のユーザに対して、移動対象のユーザと同じグループに属しているか否かについてユーザ情報テーブル２００を用いて確認し、同じグループに属しているユーザである場合は、移動対象のユーザとともにグループ一覧領域１２１０へ戻す。同じグループでない場合は、選択ユーザ領域１２５０に残す。
【００３７】
図１３は、配布対象ユーザ選択モジュール５４０による処理例を示す説明図である。
表示モジュール７４５が操作画面１３００を表示する。操作画面１３００内には、ユーザ一覧領域１３１０、選択ユーザ領域１３５０を表示する。図１３は、ユーザに対応している文書の形態を変更する場合の例を示している。
図１３（ａ）は、選択ユーザ領域１３５０内にユーザアイコン１３６０ａ等がある例を示している。
図１３（ｂ）は、カーソルアイコン１３６５ｂによってユーザアイコン１３６０ｂを選択し、長押しでメニュー群１３７０を表示している例を示している。メニュー群１３７０には、出力パラメータを変更するための「印刷物を配布」、「電子文書で配布」、「詳細変更（両面印刷か片面印刷等）」等がある。予め定められた出力パラメータではなく、配布直前等において出力パラメータを変更する事態がおきた場合に対応するためである。
図１３（ｃ）は、出力パラメータが変更されたユーザアイコン（パラメータ表示）１３６０ｃの形態が変更されたことを示している。例えば、変更内容を示す吹き出し等を付加するようなアイコンの変更を行ってもよい。
【００３８】
図１４は、出力結果レポートの例を示す説明図である。出力制御モジュール５５０が出力結果レポートを生成する。
出力結果レポートには、印刷日時記憶欄１４１０、出力結果記載テーブル１４２０が記載されている。印刷日時記憶欄１４１０には、印刷開始日時、印刷終了日時を印刷する。出力結果記載テーブル１４２０は、チェック欄１４２２、ユーザ名欄１４２４、グループ名欄１４２６、出力パラメータ欄１４２８を有している。チェック欄１４２２は、その文書をユーザに配布したかをチェックするための欄である。ユーザ名欄１４２４には、ユーザ名を印刷する。グループ名欄１４２６には、そのユーザが属しているグループ名を印刷する。出力パラメータ欄１４２８には、出力された文書の出力パラメータを記載する。
【００３９】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【００４０】
前述の実施の形態は以下のように把握してもよい。
（Ａ１）  配布すべき文書を受け付ける受付手段と、
前記受付手段によって受け付けられた文書の配布先を選択する選択手段と、
配布先となり得る者と該者が受け取る文書の形態を対応させて記憶している記憶手段から、前記選択手段によって選択された配布先が受け取る文書の形態を抽出する抽出手段と、
前記抽出手段によって抽出された文書の形態にしたがって、前記受付手段によって受け付けられた文書の画像を出力する出力手段
を具備することを特徴とする画像処理装置。
【００４１】
（Ａ２）  配布先となり得る者を選択する第２の選択手段と、
前記第２の選択手段によって選択された者が受け取る文書の形態を受け付けて、該文書の形態を前記第２の選択手段によって選択された者と対応付けて前記記憶手段に記憶させるように制御する制御手段
をさらに具備することを特徴とする（Ａ１）に記載の画像処理装置。
【００４２】
（Ａ３）  前記選択手段によって選択し得る配布先として、個人又は複数人からなる集合があり、
前記選択手段によって選択された配布先が集合である場合であって、該集合の一部が配布先として取り消された場合は、該集合に含まれている他の配布先も取り消す
ことを特徴とする（Ａ１）又は（Ａ２）に記載の画像処理装置。
【００４３】
（Ａ４）  前記出力手段による出力として、前記受付手段によって受け付けられた文書の電子文書の出力又は印刷があり、
前記出力手段による出力が印刷であり、前記文書の配布先が複数ある場合は、配布先の名称を該文書内又は該文書とは別のページであって該文書を区別するためのページに印刷する
ことを特徴とする（Ａ１）から（Ａ３）のいずれか一項に記載の画像処理装置。
【００４４】
（Ａ５）  前記出力手段は、前記抽出手段によって抽出された形態内で同じ形態がある場合は、該同じ形態の出力を連続して行う
ことを特徴とする（Ａ１）から（Ａ４）のいずれか一項に記載の画像処理装置。
【００４５】
（Ａ６）  コンピュータを、
配布すべき文書を受け付ける受付手段と、
前記受付手段によって受け付けられた文書の配布先を選択する選択手段と、
配布先となり得る者と該者が受け取る文書の形態を対応させて記憶している記憶手段から、前記選択手段によって選択された配布先が受け取る文書の形態を抽出する抽出手段と、
前記抽出手段によって抽出された文書の形態にしたがって、前記受付手段によって受け付けられた文書の画像を出力する出力手段
として機能させるための画像処理プログラム。
【００４６】
そして、前述の発明は、以下の効果を有する。
（Ａ１）の画像処理装置によれば、文書を出力する場合にあって、配布先となり得る者毎に予め定められた形態による文書を出力することができる。
【００４７】
（Ａ２）の画像処理装置によれば、配布先となり得る者と該者が受け取る文書の形態を対応させて記憶している記憶手段を生成することができる。
【００４８】
（Ａ３）の画像処理装置によれば、配布先が集合である場合であって、その集合の一部が配布先として取り消された場合は、その集合に含まれている他の配布先も取り消すことができる。
【００４９】
（Ａ４）の画像処理装置によれば、文書の配布先が複数ある場合は、配布先の名称をその文書内又はその文書とは別のページであってその文書を区別するためのページに印刷することができる。
【００５０】
（Ａ５）の画像処理装置によれば、形態に合わせて行う画像処理の繰り返し処理が不要とすることができる。
【００５１】
（Ａ６）の画像処理プログラムによれば、文書を出力する場合にあって、配布先となり得る者毎に予め定められた形態による文書を出力することができる。
【００５２】
さらに、前述の実施の形態は以下のように把握してもよい。
（Ｂ１）  配布すべき文書を受け付ける受付手段と、
前記受付手段によって受け付けられた文書の配布先を選択する選択手段と、
配布先となり得る者と該者が受け取る文書の形態を対応させて記憶している記憶手段から、前記選択手段によって選択された配布先が受け取る文書の形態を抽出する抽出手段と、
前記抽出手段によって抽出された文書の形態にしたがって、前記受付手段によって受け付けられた文書の画像を出力する出力手段
を具備し、
前記選択手段によって選択し得る配布先として、個人又は複数人からなる集合があり、
前記選択手段によって選択された配布先が集合である場合であって、該集合の一部が配布先として取り消された場合は、該集合に含まれている他の配布先も取り消す
ことを特徴とする画像処理装置。
【００５３】
（Ｂ２）  配布先となり得る者を選択する第２の選択手段と、
前記第２の選択手段によって選択された者が受け取る文書の形態を受け付けて、該文書の形態を前記第２の選択手段によって選択された者と対応付けて前記記憶手段に記憶させるように制御する制御手段
をさらに具備することを特徴とする（Ｂ１）に記載の画像処理装置。
【００５４】
（Ｂ３）  前記出力手段による出力として、前記受付手段によって受け付けられた文書の電子文書の出力又は印刷があり、
前記出力手段による出力が印刷であり、前記文書の配布先が複数ある場合は、配布先の名称を該文書内又は該文書とは別のページであって該文書を区別するためのページに印刷する
ことを特徴とする（Ｂ１）又は（Ｂ２）に記載の画像処理装置。
【００５５】
（Ｂ４）  前記出力手段は、前記抽出手段によって抽出された形態内で同じ形態がある場合は、該同じ形態の出力を連続して行う
ことを特徴とする（Ｂ１）から（Ｂ３）のいずれか一項に記載の画像処理装置。
【００５６】
（Ｂ５）  コンピュータを、
配布すべき文書を受け付ける受付手段と、
前記受付手段によって受け付けられた文書の配布先を選択する選択手段と、
配布先となり得る者と該者が受け取る文書の形態を対応させて記憶している記憶手段から、前記選択手段によって選択された配布先が受け取る文書の形態を抽出する抽出手段と、
前記抽出手段によって抽出された文書の形態にしたがって、前記受付手段によって受け付けられた文書の画像を出力する出力手段
として機能させ、
前記選択手段によって選択し得る配布先として、個人又は複数人からなる集合があり、
前記選択手段によって選択された配布先が集合である場合であって、該集合の一部が配布先として取り消された場合は、該集合に含まれている他の配布先も取り消す
ことを特徴とする画像処理プログラム。
【００５７】
（Ｂ６）  表示部に情報を表示する表示手段と、
配布すべき文書を受け付ける受付手段と、
前記受付手段によって受け付けられた文書の配布先を選択する選択手段と、
配布先となり得る者と該者が受け取る文書の形態を対応させて記憶している記憶手段から、前記選択手段によって選択された配布先が受け取る文書の形態を抽出する抽出手段と、
前記抽出手段によって抽出された文書の形態にしたがって、前記受付手段によって受け付けられた文書の画像を出力する出力手段
を具備し、
前記表示手段は、前記表示部に前記配布先となり得る者を示すアイコンを表示し、
前記選択手段は、前記アイコンを選択することで前記配布先を選択する
ことを特徴とする画像処理装置。
【００５８】
（Ｂ７）  前記表示手段は、前記表示部に前記配布先となり得る者のアイコン一覧を表示する第一領域と、配布先として選択された者を表示する第二領域とを表示し、
前記選択手段は、前記第一領域の前記アイコンをドラッグして前記第二領域へドロップすることで、前記文書の配布先を選択する
ことを特徴とする（Ｂ６）に記載の画像処理装置。
【００５９】
（Ｂ８）  前記アイコンは、複数人からなる集合を表すアイコンであり、
前記表示手段は、前記表示部に表示された前記アイコンが、前記選択手段により前記配布先として選択されると、前記アイコンは一人一人の者を示すアイコンとして表示する
ことを特徴とする（Ｂ６）又は（Ｂ７）に記載の画像処理装置。
【００６０】
（Ｂ９）  前記表示手段は、前記アイコンの選択を受け付けると、出力パラメータの変更を受け付けるための表示をする
ことを特徴とする（Ｂ６）から（Ｂ８）のいずれか一項に記載の画像処理装置。
【００６１】
（Ｂ１０）  コンピュータを、
表示部に情報を表示する表示手段と、
配布すべき文書を受け付ける受付手段と、
前記受付手段によって受け付けられた文書の配布先を選択する選択手段と、
配布先となり得る者と該者が受け取る文書の形態を対応させて記憶している記憶手段から、前記選択手段によって選択された配布先が受け取る文書の形態を抽出する抽出手段と、
前記抽出手段によって抽出された文書の形態にしたがって、前記受付手段によって受け付けられた文書の画像を出力する出力手段
として機能させ、
前記表示手段は、前記表示部に前記配布先となり得る者を示すアイコンを表示し、
前記選択手段は、前記アイコンを選択することで前記配布先を選択する
ことを特徴とする画像処理プログラム。
【００６２】
そして、前述の発明は、以下の効果を有する。
（Ｂ１）の画像処理装置によれば、文書を出力する場合にあって、配布先となり得る者毎に予め定められた形態による文書を出力することができる。また、配布先が集合である場合であって、その集合の一部が配布先として取り消された場合は、その集合に含まれている他の配布先も取り消すことができる。
【００６３】
（Ｂ２）の画像処理装置によれば、配布先となり得る者と該者が受け取る文書の形態を対応させて記憶している記憶手段を生成することができる。
【００６４】
（Ｂ３）の画像処理装置によれば、文書の配布先が複数ある場合は、配布先の名称をその文書内又はその文書とは別のページであってその文書を区別するためのページに印刷することができる。
【００６５】
（Ｂ４）の画像処理装置によれば、形態に合わせて行う画像処理の繰り返し処理が不要とすることができる。
【００６６】
（Ｂ５）の画像処理プログラムによれば、文書を出力する場合にあって、配布先となり得る者毎に予め定められた形態による文書を出力することができる。また、配布先が集合である場合であって、その集合の一部が配布先として取り消された場合は、その集合に含まれている他の配布先も取り消すことができる。
【００６７】
（Ｂ６）の画像処理装置によれば、文書を出力する場合にあって、配布先となり得る者毎に予め定められた形態による文書を出力することができる。また、配布先となり得る者を示すアイコンを選択することで配布先を選択することができる。
【００６８】
（Ｂ７）の画像処理装置によれば、配布先となり得る者のアイコン一覧を表示する第一領域と、配布先として選択された者を表示する第二領域とを表示し、その第一領域のアイコンをドラッグして、その第二領域へドロップすることで、文書の配布先を選択することができる。
【００６９】
（Ｂ８）の画像処理装置によれば、複数人からなる集合を表すアイコンが、配布先として選択されると、そのアイコンは一人一人の者を示すアイコンとして表示することができる。
【００７０】
（Ｂ９）の画像処理装置によれば、アイコンの選択を受け付けると、出力パラメータを変更を受付けるための表示をすることができる。
【００７１】
（Ｂ１０）の画像処理プログラムによれば、文書を出力する場合にあって、配布先となり得る者毎に予め定められた形態による文書を出力することができる。また、配布先となり得る者を示すアイコンを選択することで配布先を選択することができる。
【００７２】
さらに、前述の実施の形態は以下のように把握してもよい。
（Ｃ１）  文書を記憶する記憶装置と、画像処理装置からなるシステムであり、
前記画像処理装置は、
配布すべき文書を受け付ける受付手段と、
前記受付手段によって受け付けられた文書の配布先をアクセス可能な前記記憶装置から選択する選択手段と、
配布先となり得る者と該者が受け取る文書の形態を対応させて記憶している記憶手段から、前記選択手段によって選択された配布先が受け取る文書の形態を抽出する抽出手段
を具備し、
前記抽出手段によって抽出された文書の形態にしたがって、前記受付手段によって受け付けられた文書の画像を、前記配布先として選択した前記アクセス可能な記憶装置に格納する
ことを特徴とする画像処理システム。
【００７３】
（Ｃ２）  配布すべき文書を受け付ける受付手段と、
前記受付手段によって受け付けられた文書の配布先をアクセス可能な記憶装置から選択する選択手段と、
配布先となり得る者と該者が受け取る文書の形態を対応させて記憶している記憶手段から、前記選択手段によって選択された配布先が受け取る文書の形態を抽出する抽出手段
を具備し、
前記抽出手段によって抽出された文書の形態にしたがって、前記受付手段によって受け付けられた文書の画像を、前記配布先として選択した前記アクセス可能な記憶装置に格納する
ことを特徴とする画像処理装置。
【００７４】
（Ｃ３）  コンピュータを、
配布すべき文書を受け付ける受付手段と、
前記受付手段によって受け付けられた文書の配布先をアクセス可能な記憶装置から選択する選択手段と、
配布先となり得る者と該者が受け取る文書の形態を対応させて記憶している記憶手段から、前記選択手段によって選択された配布先が受け取る文書の形態を抽出する抽出手段
として機能させ、
前記抽出手段によって抽出された文書の形態にしたがって、前記受付手段によって受け付けられた文書の画像を、前記配布先として選択した前記アクセス可能な記憶装置に格納する
ことを特徴とする画像処理プログラム。
【００７５】
（Ｃ４）  文書を記憶する記憶装置と、画像処理装置からなるシステムであり、
前記画像処理装置は、
表示部に情報を表示する表示手段と、
配布すべき文書を受け付ける受付手段と、
前記受付手段によって受け付けられた文書の配布先をアクセス可能な前記記憶装置から選択する選択手段と、
配布先となり得る者と該者が受け取る文書の形態を対応させて記憶している記憶手段から、前記選択手段によって選択された配布先が受け取る文書の形態を抽出する抽出手段
を具備し、
前記表示手段は、前記表示部に前記配布先となり得る者を示すアイコンを表示し、
前記選択手段は、前記アイコンを選択することで前記配布先を選択し、
前記抽出手段によって抽出された文書の形態にしたがって、前記受付手段によって受け付けられた文書の画像を、前記配布先として選択した前記アクセス可能な記憶装置に格納する
ことを特徴とする画像処理システム。
【００７６】
（Ｃ５）  表示部に情報を表示する表示手段と、
配布すべき文書を受け付ける受付手段と、
前記受付手段によって受け付けられた文書の配布先をアクセス可能な記憶装置から選択する選択手段と、
配布先となり得る者と該者が受け取る文書の形態を対応させて記憶している記憶手段から、前記選択手段によって選択された配布先が受け取る文書の形態を抽出する抽出手段
を具備し、
前記表示手段は、前記表示部に前記配布先となり得る者を示すアイコンを表示し、
前記選択手段は、前記アイコンを選択することで前記配布先を選択し、
前記抽出手段によって抽出された文書の形態にしたがって、前記受付手段によって受け付けられた文書の画像を、前記配布先として選択した前記アクセス可能な記憶装置に格納する
ことを特徴とする画像処理装置。
【００７７】
（Ｃ６）  コンピュータを、
表示部に情報を表示する表示手段と、
配布すべき文書を受け付ける受付手段と、
前記受付手段によって受け付けられた文書の配布先をアクセス可能な記憶装置から選択する選択手段と、
配布先となり得る者と該者が受け取る文書の形態を対応させて記憶している記憶手段から、前記選択手段によって選択された配布先が受け取る文書の形態を抽出する抽出手段
として機能させ、
前記表示手段は、前記表示部に前記配布先となり得る者を示すアイコンを表示し、
前記選択手段は、前記アイコンを選択することで前記配布先を選択し、
前記抽出手段によって抽出された文書の形態にしたがって、前記受付手段によって受け付けられた文書の画像を、前記配布先として選択した前記アクセス可能な記憶装置に格納する
ことを特徴とする画像処理プログラム。
【００７８】
そして、前述の発明は、以下の効果を有する。
（Ｃ１）の画像処理システム、（Ｃ２）の画像処理装置、（Ｃ３）の画像処理プログラムによれば、文書の配布先となり得る者毎に予め定められた形態による文書を、アクセス可能な記憶装置に格納することができる。
【００７９】
（Ｃ４）の画像処理システム、（Ｃ５）の画像処理装置、（Ｃ６）の画像処理プログラムによれば、文書の配布先となり得る者毎に予め定められた形態による文書を、アクセス可能な記憶装置に格納することができる。また、配布先となり得る者を示すアイコンを選択することで配布先を選択することができる。
【符号の説明】
【００８０】
１１０…出力パラメータ登録モジュール
１２０…ユーザ選択モジュール
１３０…ユーザ情報記憶モジュール
１４０…出力パラメータ設定モジュール
１５０…出力パラメータ記憶モジュール
５１０…出力パラメータ制御モジュール
５２０…文書選択モジュール
５３０…文書記憶モジュール
５４０…配布対象ユーザ選択モジュール
５５０…出力制御モジュール
７０５…ＣＰＵ
７１０…ＲＯＭ
７１５…ＲＡＭ
７２０…ＮＶＲＡＭ
７２５…ＨＤＤ
７３０…画像処理モジュール
７３５…操作装置ＩＦ
７４０…操作装置モジュール
７４５…表示モジュール
７５０…操作モジュール
７５５…通信ＩＦ
７６０…通信回線
７６５…装置ＩＦ
７７０…読取装置モジュール
７７５…印刷装置モジュール
７９５…バス
【図１】
0006358370.tif 000002
【図２】
0006358370.tif 000003
【図３】
0006358370.tif 000004
【図４】
0006358370.tif 000005
【図５】
0006358370.tif 000006
【図６】
0006358370.tif 000007
【図７】
0006358370.tif 000008
【図８】
0006358370.tif 000009
【図９】
0006358370.tif 000010
【図１０】
0006358370.tif 000011
【図１１】
0006358370.tif 000012
【図１２】
0006358370.tif 000013
【図１３】
0006358370.tif 000014
【図１４】
0006358370.tif 000015